(57)【要約】      （修正有）【課題】真夏の炎天下での作業のように急激に上昇しがちな体温の上昇を効果的に抑制できて、長時間に亘り着衣内部を適正な温度に保持することが可能な保冷衣服を提供する。【解決手段】少なくとも防水性を有する生地を、表地に使うか、又は、表地と裏地に使って外形がベスト状，ポンチョ状，上衣状，上下つなぎ服状のいずれかの衣服形状体に形成し、衣服形状の表地と裏地の間の略全域に、シート状またはブロック状の冷却乃至凍結させた芯材８１〜８３を出入れ自在に収容した。上半身域裏面における胸部、又は、胸部と対応する背中上部に１つ又は２つ以上のポケットを設け、そのポケットに冷却芯材を出し入れ自在に収容してもよい。【選択図】図１
0003187780.tif 000002
【実用新案登録請求の範囲】
【請求項１】
表地と裏地を使って外形がベスト状，ポンチョ状，上衣状，上下つなぎ服状のいずれかの衣服形状体に形成し、該衣服形状体の表地と裏地の間の略全域又は上半身域に、柔軟なシート状、又は、ブロック状の芯材であって凍結を含む冷却状態の冷却芯材を出入れ自在に収容するようにしたことを特徴とする保冷衣服。
【請求項２】
少なくとも表地により形成したベスト状，ポンチョ状，上衣状，上下つなぎ服状のいずれかの衣服形状体の上半身域裏面における胸部、又は、該胸部と対応する背中上部に１つ又は２つ以上のポケットを設け、該ポケットに冷却芯材を出入れ自在に収容するようにしたことを特徴とする保冷衣服。
【請求項３】
表地と裏地の間に略全域又は上半身域は、複数の区画に形成し、各区画に冷却芯材を出入自在に収容するようにした請求項１又は２に記載の保冷衣服。
【請求項４】
衣服形状体の冷却芯材を収容した前身頃又は後身頃若しくは両身頃の内面側に、冷却材又は保冷材を収容するポケットを設け、前記冷却芯材とポケット内の冷却材又は保冷材の間で熱交換するようにした請求項１〜３のいずれかに記載の保冷衣服。
【請求項５】
表地に不燃性乃至難燃性で断熱性の生地を用いた請求項１〜４のいずれかに記載の保冷衣服。
【考案の詳細な説明】
【技術分野】
【０００１】
本考案は、夏季の屋外作業などのように体温が著しく上昇する場合などに着用して身体が上昇するのを効果的に防ぐことができる保冷衣服に関する。
【背景技術】
【０００２】
従来より、冷たさを感じる衣服として、胸部や背中に対応する部位に、放熱性に優れた生地を使用した衣類が、特許文献１により提案されている。
また、肌が接すれば冷たさを感じる繊維が特許文献２により提案されており、このような繊維による生地で形成された衣服も、冷気を感じる衣服として機能するものと考えられる。
一方、高温条件下での作業において、作業者の体が温度が上がって発症する熱中症等の危険を回避するために着用する服として、特許文献３の保冷服が提案されている。
【先行技術文献】
【特許文献】
【０００３】
【特許文献１】特開平１１−２４７０１１公報
【特許文献２】特許第５００９７９８号公報
【特許文献３】特開２０１１−００１６６９号公報
【０００４】
しかし乍ら、特許文献１に示されるような冷たさを感じさせる衣服であっても、例えば真夏の炎天下で着用する上下つなぎ服スタイルの例えば防護服に形成した場合、作業時に上昇する体温の大きな熱エネルギーを吸収してしまうことはきわめて困難である。また、特許文献２のような冷たさを感じる繊維製の作業服であっても、上記のような作業時に大幅に上昇する体温を吸収することはできない。さらに、特許文献３の保冷服も保冷容量が小さいため、炎天下で着用する作業服としては、着用者の体温の上昇を十分に抑制できない面がある。
従って、作業時に体温の上昇を効果的に、かつ、継続的に抑制できないと、例えば炎天下での作業効率が著しく低下するのみならず、熱中症等を惹起し甚だ危険でもある。
ここで、保冷容量とは、低温度（例えば、０℃近傍、或は、それ以下の温度）に冷却した保冷材（凍結体を含む）が常温に戻るまでの時間の長さをいうものとする。
【考案の概要】
【考案が解決しようとする課題】
【０００５】
本考案は、上記問題点に鑑み、着用するだけで真夏の炎天下での作業のように急激に上昇しがちな体温の上昇を効果的に抑制できて長時間に亘り着衣内部を適正な温度に保持することが可能な保冷衣服を提供することをその課題とする。
【課題を解決するための手段】
【０００６】
上記課題を解決することを目的としてなされた本考案保冷衣服の構成は、少なくとも防水性を有する生地を、少なくとも表地に使うか、又は、表地と裏地に使って外形がベスト状，ポンチョ状，上衣状，上下つなぎ服状のいずれかの衣服形状体に形成し、該衣服形状の表地と裏地の間の略全域に、シート状またはブロック状の冷却芯材であって冷却乃至凍結させた芯材を収容したことを特徴とするものである。
【０００７】
この場合において、前記衣服形状体は、前記芯材を挿脱自在に形成したものであることが好ましい。衣服に形成する冷却芯材の挿脱部位としては、例えば上衣の裾部や前身頃と後身頃の境界部（脇下部位）などがある。このほか、各身頃の正面に、ラインファスナにより縦向き、或は、横向きに、芯材出入口を設けるようにしてもよい。また、本考案においては、前記衣服形状体の表地と裏地の間は、複数区画に形成し、各区画に夫々に冷却芯材を収容する形態とすることもできる。前記区画の形状としては、例えば横長スリット状、縦長スリット状、或は、碁盤の目状などがある。複数区画にするのは、着用者への冷却芯材面の密着性を高めるため、並びに、冷却芯材の温度上昇による流下を区画単位に分けて、流下が一箇所に集まらないようにするためである。なお、複数区画に形成されている場合には、各区画ごとに芯材の出入れを自在にする。
【０００８】
さらに、本考案においては、上記衣服形状体の内側の前身頃又は後身頃若しくは両身頃に、冷却材又は保冷材を収容するポケットを設け、保水した前記芯材とポケット内の冷却材又は保冷材の間で、熱交換して芯材の温度を下げるようにすることができる。
また、本考案においては、衣服形状体を例えば表地だけによってベスト状等の衣服形状体に形成し、この衣服形状体の内側において、胸部、又は／及び、胸部に対応する背中上部に少なくとも１個、又は、それ以上のポケットを設け、該ポケットに冷却芯材を出入れ自在に入れるようにしてもよい。
【０００９】
加えて、本考案においては、上記の衣服形状体の表地に難燃性乃至不燃焼性で、断熱性の生地を用いて、例えば、上下つなぎ服状の衣服形状体を形成し、その衣服形状体の例えば上衣部の内面に縦長形状等のポケットを複数列設け、各ポケットに冷却芯材として棒状保冷材を収容するようにした形態の保冷衣服もある。
【００１０】
本考案における冷却芯材としては、一例として発泡径が１ｍｍから１ｍｍ以下の発泡体に吸水させて凍結乃至冷却したもの、或は、柔軟容器に封入したゾル状又はゲル状の冷却剤を冷却したものを選択して用いることができる。
【考案の効果】
【００１１】
本考案は、ベストや上衣等の衣服形状体の、例えば、表地と裏地の間に形成されるいわば収容部に、冷却芯材を出入れ自在に挿入したことにより、この衣服形状体を着用した作業者は、真夏の炎天下などの高温環境下での作業に従事しても、前記冷却芯材が常温に戻るまで着衣内の温度を上げることなく作業をすることが可能になる。
【図面の簡単な説明】
【００１２】
【図１】本考案をベスト状衣服に適用した実施形態例を説明するための正面図。
【図２】本考案衣服形状体における冷却芯材の使用態様の別例を説明するための要部の拡大平断面図。
【考案を実施するための形態】
【００１３】
次に、本考案の実施形態例について図面を参照して説明する。
図１のベスト状に形成した本考案衣服形状体の一例である保冷衣服Ｃｗでは、それがベスト状であえる故に、一例として、ラインファスナ３により前開きタイプに形成した左右の前身頃１，２と、左右の脇肩近傍に形成された左右の腕袢通囗４，５と、左右の前身頃１，２の外側端部に連続形成された後身頃６と、前記両身頃１，２と６の上部に形成された首回り部７を具備して衣服形状体の一例であるベストが形成されている。なお、首回り部には襟なしタイプもある。
【００１４】
本考案が適用できる衣服形状体には、上記のベスト状のほか、貫頭衣（ポンチョ）タイプ、袖有り、袖無しの両タイプの上衣状衣服、このうち袖有りタイプには、半袖、長袖、七分袖などがある。また、前記上衣とズボンを一体形成したいわゆるつなぎ服も本考案の適用対象である。
【００１５】
図１の本考案衣服Ｃｗは、この例では、図２の断面図に例示するように表地Ｏｓと裏地Ｉｓにより衣服形状体に形成されており、表地Ｏｓは、少なくとも防水性、又は、防水性と断熱性を備えた素材により形成することが望ましい。この素材の一例としては、表面が防水性であり内部が発泡層に形成された合成樹脂製の柔軟シート材がある。発泡層は、独立又は連続のいずれかのタイプの気泡であってもよい。防水性だけの表地Ｏｓで足りる揚合には発泡性は不要である。
【００１６】
裏地Ｉｓは、表地Ｏｓとの間に挿入した後述する冷却芯材８１〜８３と着衣者の体表面の間での熱交換効率を高めるため、一例として薄手で通気性のある織物や不織布或はネット地などにより形成されている。
【００１７】
本考案では、図１における衣服Ｃｗの表地Ｏｓと裏地Ｉｓの間に、この例では３つの冷却芯材８１，８２，８３を収容するため、図１の各身頃１，２，６の裾部に、図に表れないラインファスナにより開閉自在に形成した芯材出入れ口１１，２１，６１が形成されている。
【００１８】
本考案で使用する冷却芯材８１〜８３は、一例として柔軟な板状のＰＶＡ（ポリビニルアセタール）発泡体やウトタン発泡体などの合成樹脂発泡体により形成されている。この発泡体は保水性を確保するため発泡径１ｍｍ又はそれ以下が好ましい。
上記芯材８１〜８３は、その外形をそれぞれ表地Ｏｓと裏地Ｉｓで形成された左右の前身頃１，２、後身頃６の内側形状に形成し、厚さを一例として１ｍｍ〜２０ｍｍ程度に形成したものを用いる。
【００１９】
上記のようにＰＶＡ発泡体などの柔軟な合成樹脂発泡体を板状にして形成された芯材８１〜８３は、夫々に含水させてから夫々の全体を冷凍庫等に入れて冷却（凍結を含む）をし、この冷却状態で、図１のベスト状衣服Ｃｗの裾に形成した芯材出入口１１，２１，６１から各身頃１，２，６の内部に収容し、この状態で作業者が着装して作業するといった態様で用いる。なお、冷却芯材は、上記衣服Ｃｗの首回り部の襟７の内部にも入れることがある。
【００２０】
一例として、厚さが１ｍｍの冷却芯材８１〜８３が各身頃１，２，６の内部に収容され
た本考案のベスト状衣服Ｃｗを着用して実際に野外で作業をしたところ、前記冷却芯材８１〜８３がほぼ常温（１５℃〜２０℃）に戻るのに約３時間を要した。
【００２１】
このことから、本考案では、各冷却芯材８１〜８３の厚みを大きくして保冷容量を大きくすれば、野外作業で着用しても５〜６時間は着衣内の温度を、体温の上昇を効果的に抑制した状態に保持できるから、例えば真夏の炎天下での作業時に体温上昇を防いで熱中症などの罹患を効果的に防止することができる。
本考案で用いる冷却芯材８１〜８３としては、上記の含水させて凍結乃至冷却した発泡体のほか、柔軟な密封容器に入れたゾル状又はゲル状の冷却剤を冷却したものをこの冷却芯材として用いることができる。
【００２２】
上記例の前身頃１，２と後身頃６は、夫々に１枚の冷却芯材８１〜８３を表地Ｏｓと裏地Ｉｓの間に収めた形態であったが、本考案では、前身頃１，２、後身頃６の表地Ｏｓと裏地Ｉｓに挟まれた空間を正，背面から見て複数に区画された芯材収容部に形成し、各区画に夫々に冷却芯材を入れるようにしてもよい。この場合、各区画に冷却芯材の出入れ口を形成する。また、各区画の正面から見た形状は、横長長方形，縦長長方形，正方形，菱形など任意である。
【００２３】
次に、図２に要部の平断面を例示した本考案保冷衣服Ｃｗの別例について説明する。
図２の例は、本考案衣服Ｃｗの表地Ｏｓと裏地Ｉｓの間に、冷却芯材８１〜８３が収容される点は、図１の例と同様であるが、図２の例では、裏地Ｉｓの外表面に複数のポケット９を設け、この各ポケット９に冷却材１０（又は、保冷材１０）を収容することにより、例えば常温乃至常温近くの温度に戻った芯材８１〜８３に、各ポケット９の冷却材１０が低温源として冷温を伝える役割をするようにしたものである。
【００２４】
本考案は衣服形状体の表地Ｏｓを難燃性又は不燃性の素材で形成した消防服や耐熱防護服などの各種防護服にも適用することができる。
すなわち、図示しないが、防護服の上衣の難燃性又は不燃性の表地Ｏｓの裏面（又は、裏地Ｉｓの内側）に、例えば縦長のポケットを複数列設け、各ポケットに凍結した棒状の芯材（上記の冷却芯材８１〜８３や冷却材１０と同等の物）を収容しておけば、例えば、火炎下や超高温下においても防護服着用者を外部の熱から保護をする作用をする。
【００２５】
本考案は以上の通りであるから、夏季の炎天下などにおいて着用する上下つなぎ型の作業服などの衣服に適用することにより、着用者の体温が上昇してしまうことを効果的かつ効率よく抑制することが可能になるから、身体保冷用の衣服としてきわめて有用である。
【符号の説明】
【００２６】
Ｃｗ          本考案保冷衣服
１，２        左右の前身頃
３            ファスナ
４，５        腕挿通口
６            後身頃
７            首回り部
８１〜８３    冷却芯材
９            ポケット
１０          冷却材
Ｏｓ          表地
Ｉｓ          裏地
【図１】
0003187780.tif 000003
【図２】
0003187780.tif 000004
【手続補正書】
【提出日】平成25年10月8日(2013.10.8)
【手続補正１】
【補正対象書類名】明細書
【補正対象項目名】００１８
【補正方法】変更
【補正の内容】
【００１８】
本考案で使用する冷却芯材８１〜８３は、一例として柔軟な板状のＰＶＡ（ポリビニルアセタール）発泡体やウレタン発泡体などの合成樹脂発泡体により形成されている。この発泡体は保水性を確保するため発泡径１ｍｍ又はそれ以下が好ましい。
上記芯材８１〜８３は、その外形をそれぞれ表地Ｏｓと裏地Ｉｓで形成された左右の前身頃１，２、後身頃６の内側形状に形成し、厚さを一例として１ｍｍ〜２０ｍｍ程度に形成したものを用いる。
【手続補正２】
【補正対象書類名】明細書
【補正対象項目名】００１９
【補正方法】変更
【補正の内容】
【００１９】
上記のようにＰＶＡ発泡体などの柔軟な合成樹脂発泡体を板状にして形成された芯材８１〜８３は、夫々に含浸させてから夫々の全体を冷凍庫等に入れて冷却（凍結を含む）をし、この冷却状態で、図１のベスト状衣服Ｃｗの裾に形成した芯材出入口１１，２１，６１から各身頃１，２，６の内部に収容し、この状態で作業者が着装して作業するといった態様で用いる。なお、冷却芯材は、上記衣服Ｃｗの首回り部の襟７の内部にも入れることがある。また、前記芯材８１〜８３は、出入れ自在であるから、不使用時に各身頃１，２，６から外部に出して含浸していた水等を絞り出せば、前記衣服Ｃｗはより軽量になるからコンパクトに折畳むことができる。
冷却芯材８１〜８３は、合成樹脂発泡体であるから、液体と同じ体積であればより軽量にでき、液体と同じ重量であればより大きな体積となる。従って、発泡体に液体を含浸させて凍結させる芯材は、コンパクトな芯材でも、長時間に亘り低温状態を保持できる。